(57)【要約】【課題】  強い揺れによる塔石の転倒や位置ズレを防げるのは無論のこと、塔石および台石の傷付きや破損を防いだり、あるいはカビやコケの発生しにくい墓石が望まれている。【解決手段】  墓石１は、台石２と、台石２上に積み上げられる塔石３とを備えて成り、塔石３の下面１０に下向き凸部８が設けられるとともに、台石２の上面１１に、塔石３の下向き凸部８と嵌合する下向き凹部９が設けられ、塔石３の下面１０と台石２の上面１１との間、および、塔石３の下向き凸部８と台石２の下向き凹部９との間に、弾性シート材４を介在させた構成にしてある。弾性シート材４は水分を通さない弾性シート材である。下向き凸部８と下向き凹部９との間に空間部１６が設けられて、下向き凸部８と下向き凹部９とが非接触になっている。【選択図】      図２
2006070575.tif 000002
【特許請求の範囲】
【請求項１】
台石と、台石上に積み上げられる塔石とを備えて成り、塔石の下面に下向き凸部または上向き凹部が設けられるとともに、台石の上面に、塔石の下向き凸部と嵌合する下向き凹部、または塔石の上向き凹部と嵌合する上向き凸部が設けられた墓石において、塔石の下面と台石の上面との間、および、塔石の下向き凸部または上向き凹部と台石の下向き凹部または上向き凸部との間に、弾性シート材を介在させたことを特徴とする墓石。
【請求項２】
弾性シート材として水分を通さない弾性シート材を用いるとともに、塔石の下向き凸部の下面と台石の下向き凹部の底面との間、または台石の上向き凸部の上面と塔石の上向き凹部の上底面との間に、空間部を設けて、前記下向き凸部と下向き凹部とを非接触に、または、前記上向き凸部と上向き凹部とを非接触に構成した請求項１に記載の墓石。
【請求項３】
台石が、下台石と、下台石上に積み上げられる上台石とから構成され、上台石の下面に下向き凸部または上向き凹部が設けられるとともに、下台石の上面に、上台石の下向き凸部と嵌合する下向き凹部、または上台石の上向き凹部と嵌合する上向き凸部が設けられ、上台石の下面と下台石の上面との間、および、上石台の下向き凸部または上向き凹部と下石台の下向き凹部または上向き凸部との間に、水分を通さない弾性シート材が介在され、上台石の下向き凸部の下面と下台石の下向き凹部の底面との間、または下台石の上向き凸部の上面と上台石の上向き凹部の上底面との間に、空間部を設けて、前記下向き凸部と下向き凹部とを非接触に、または、前記上向き凸部と上向き凹部とを非接触に構成した請求項１または請求項２に記載の墓石。
【請求項４】
塔石の下向き凸部は、塔石の外側面から下向き凸部までの下面寸法が１０ｍｍ以上２０ｍｍ以下で、且つ、塔石の下面から下向き凸部の下面までの縦寸法が１００ｍｍ以上２００ｍｍ以下となるように形成されている請求項１から請求項３のいずれか一項に記載の墓石。
【発明の詳細な説明】
【技術分野】
【０００１】
本発明は、地震や振動工事などから来る激しい揺れに強い墓石に関するものである。
【背景技術】
【０００２】
従来、この種の墓石は、例えば下記の特許文献１および特許文献２に記載されている。そのうちから、特許文献１に記載の墓石を図５に示す。図示の墓石５１は、地面ＧＬに設置される下台石５２と、下台石５２上に積み上げられる塔石５３と、下台石５３上に積み上げられる塔石５４とを備えている。塔石５４の下面には下向き凸部５５が設けられ、上台石５３の上面には、塔石５４の下向き凸部５５と嵌合する下向き凹部５６が設けられている。また、上台石５３の下面には下向き凸部５７が設けられ、下台石５２の上面には、上台石５３の下向き凸部５７と嵌合する下向き凹部５８が設けられている。塔石５４の下向き凸部５５の下面と上台石５３の下向き凹部５６の底面との間には、空間部５９が生じている。そして、上台石５３の下向き凸部５７の下面と下台石５２の下向き凹部５８の底面との間にも、空間部６０が生じている。
【０００３】
塔石５４の下向き凸部５５は、塔石５４の外側面から下向き凸部５５までの下面寸法Ｄ１が８０ｍｍ程度であり、塔５４石の下面から下向き凸部５５の下端までの縦寸法Ｌ１が７０ｍｍ程度である。一般に、塔石の横幅は２４０〜３６０ｍｍ程度であり、高さは横幅の約２．５倍（６００〜９００ｍｍ程度）が目安とされている。これらの墓石の材料としては、一般に花崗岩（御影石）、安山岩、閃緑岩などが用いられている。
かかる墓石５１は、地震などで揺れたときでも、下向き凸部５５と下向き凹部５６の嵌合構造、および下向き凸部５７と下向き凹部５８の嵌合構造によって、塔石５４が上台石５３から倒れたり、塔石５４または上台石５３が上台石５３上または下台石５２上で位置ズレしないようになっている。
【０００４】
【特許文献１】実公昭４８−４４８００号公報
【０００５】
【特許文献２】実開昭４７−１６７９９号公報
【発明の開示】
【発明が解決しようとする課題】
【０００６】
しかしながら、従来の墓石５１は石同士が直に接しているため、地震や近くの振動工事などで強く揺れた際に、塔石５４の下面角部、下向き凸部５５，５７の外面、上向き凹部５９，６０の内面が傷付いたり欠けたりすることがある。あるいは、塔石５４の大きさと比較して下向き凸部５５が細いため、強い揺れを受けたときに下向き凸部５５が折損して役に立たなくなるおそれがある。
また、一般に、墓石用の石材は水分が浸透する性質を持っているので、地面ＧＬの水分が下台石５２に浸透し、その水分が下台石５２から上台石５３へ移行し、更に上台石５３から塔石５４へ登っていく。このように地面ＧＬの水分を常時吸い上げていると、各石同士の接触部分や空間部５９，６０に常に水が溜まることとなり、その部分にカビやコケが発生して繁殖する。このようなカビやコケはその存在自体が墓石の見栄えを損ない、その発生部分で石表面特有の鏡面光沢が失われるという問題がある。
【０００７】
本発明は、上記した従来の問題点に鑑みてなされたものであって、強い揺れによる塔石の転倒や位置ズレを防げるのは無論のこと、塔石および台石の傷付きや破損を防いだり、あるいはカビやコケの発生しにくい墓石の提供を目的とする。
【課題を解決するための手段】
【０００８】
上記目的を達成するために、本発明に係る墓石は、台石と、台石上に積み上げられる塔石とを備えて成り、塔石の下面に下向き凸部または上向き凹部が設けられるとともに、台石の上面に、塔石の下向き凸部と嵌合する下向き凹部、または塔石の上向き凹部と嵌合する上向き凸部が設けられた墓石において、塔石の下面と台石の上面との間、および、塔石の下向き凸部または上向き凹部と台石の下向き凹部または上向き凸部との間に、弾性シート材を介在させた構成にしてある。
【０００９】
また、前記構成において、弾性シート材として水分を通さない弾性シート材を用いるとともに、塔石の下向き凸部の下面と台石の下向き凹部の底面との間、または台石の上向き凸部の上面と塔石の上向き凹部の上底面との間に、空間部を設けて、前記下向き凸部と下向き凹部とを非接触に、または、前記上向き凸部と上向き凹部とを非接触に構成したものである。
【００１０】
そして、前記した各構成において、台石が、下台石と、下台石上に積み上げられる上台石とから構成され、上台石の下面に下向き凸部または上向き凹部が設けられるとともに、下台石の上面に、上台石の下向き凸部と嵌合する下向き凹部、または上台石の上向き凹部と嵌合する上向き凸部が設けられ、上台石の下面と下台石の上面との間、および、上石台の下向き凸部または上向き凹部と下石台の下向き凹部または上向き凸部との間に、水分を通さない弾性シート材が介在され、上台石の下向き凸部の下面と下台石の下向き凹部の底面との間、または下台石の上向き凸部の上面と上台石の上向き凹部の上底面との間に、空間部を設けて、前記下向き凸部と下向き凹部とを非接触に、または、前記上向き凸部と上向き凹部とを非接触に構成したものである。
【００１１】
更に、前記した各構成において、塔石の下向き凸部が、塔石の外側面から下向き凸部までの下面寸法が１０ｍｍ以上２０ｍｍ以下で、且つ、塔石の下面から下向き凸部の下面までの縦寸法が１００ｍｍ以上２００ｍｍ以下となるように形成されているものである。
【発明の効果】
【００１２】
本発明に係る墓石によれば、塔石の下面と台石の上面との間、および、塔石の下向き凸部または上向き凹部と台石の下向き凹部または上向き凸部との間に、弾性シート材を介在させた構成が採用されるので、塔石と台石は直に接することがなく、地震などの揺れを受けた場合は弾性シート材の弾性力により揺れが緩和されるから、塔石と台石の破損や傷付きを防止できて墓石の美しい外観を保持することができる。
【００１３】
また、水分を通さない弾性シート材と空間部の存在により、下向き凸部と下向き凹部とが非接触に、または上向き凸部と上向き凹部とが非接触になるように構成した場合は、通水性に関して塔石と台石とが絶縁されるので、台石に浸透した水分は塔石と台石の積み重ね位置および塔石へ移行しない。これにより、塔石の積み重ね位置および塔石が常時湿った状態にならないから、カビやコケが発生することを防止できる。
【００１４】
そして、水分を通さない弾性シート材と空間部が上台石と下台石の間に介在することにより、下向き凸部と下向き凹部とが非接触に、または上向き凸部と上向き凹部とが非接触になるように構成した場合は、通水性に関して上台石と下台石とが絶縁されるので、下台石に浸透した水分は上塔石と下台石の積み重ね位置および上台石へ移行しない。これにより、上台石と下台石の積み重ね位置、上台石、および塔石が常時湿った状態にならないから、墓石の広い範囲にわたってカビやコケの発生を防止できる。
【００１５】
更に、塔石の下向き凸部について、塔石の外側面から下向き凸部までの下面寸法、および、塔石の下面から下向き凸部の下面までの縦寸法が本発明特徴の所定寸法に設定されている場合は、塔石の横幅に対し下向き凸部の横幅は比較的太くなるため、墓石が地震などにより強く揺さぶられても折損しない。また、下向き凸部の縦寸法が一定以上であるために、強く揺さぶられた際に下向き凸部が下向き凹部から抜けるといった不具合を回避できる。
【発明を実施するための最良の形態】
【００１６】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る墓石の分解斜視図、図２は前記墓石の正断面図である。
各図において、この実施形態に係る墓石１は、台石２と、台石２上に積み上げられる塔石３とを備えている。台石２は、地面ＧＬに設置される下台石５と、下台石５上に積み上げられる上台石６とから構成されている。これらの下台石５、上台石６、および塔石３は例えば白御影石で構成されている。但し、本発明では白御影石に限定されない。塔石３の下面１０には下向き凸部８が設けられ、上台石６の上面１１に、塔石３の下向き凸部８と嵌合する下向き凹部９が設けられている。
【００１７】
塔石３の下面１０と上台石６の上面１１との間、および、下向き凸部８の外周面１２と下向き凹部９の内周面１３との間にそれぞれ介在するように、弾性シート材４が配設されている。また、上台石６の下面１９に下向き凸部１７が設けられ、下台石５の上面２０に、上台石６の下向き凸部１７と嵌合する下向き凹部１８が設けられている。上台石６の下面１９と下台石５の上面２０との間、および、上石台６の下向き凸部１７の外周面３９と下石台５の下向き凹部１８の内周面２１との間にそれぞれ介在するように、水分を通さない弾性シート材７が配設されている。そして、塔石３の下向き凸部８の下面１４と上台石６の下向き凹部９の底面１５との間には、空間部１６が設けられている。この空間部１６および弾性シート材４を備える構成により、下向き凸部８と下向き凹部９とが非接触になっている。そして、上台石６の下向き凸部１７の下面２２と下台石５の下向き凹部１８の底面２３との間にも、空間部２４が設けられている。この空間部２４および弾性シート材７を備える構成により、下向き凸部１７と下向き凹部１８とが非接触になっている。
【００１８】
前記の弾性シート材４は上端に全周鍔部を有する角筒状に形成されていて、下向き凸部８の外周面１２に外嵌され下向き凹部９の内周面１３に内嵌されるようになっている。弾性シート材７も上端に全周鍔部を有する角筒状に形成されていて、下向き凸部１７の外周面３９に外嵌され下向き凹部１８の内周面２１に内嵌されるようになっている。これらの弾性シート材４，７は、弾性を有し且つ水分を通さない材料、例えば厚さ１．５ｍｍのシリコーンゴムで構成されている。但し、本発明に係る弾性シート材の材料の種類および厚さは前記に限定されない。
【００１９】
上記した構成の墓石１は、地震の発生や近くの振動工事などで強く揺さぶられても、下向き凸部８と下向き凹部９の嵌合構造、および下向き凸部１７と下向き凹部１８の嵌合構造により、塔石３が倒れることがなく、塔石３や上台石６が上台石６上や下台石５上で位置ズレしたりしない。また、塔石３と上台石６同士、上台石６と下台石５同士は、それぞれの間に弾性シート材４，７が介在しているので直に接することがなく、且つ、弾性シート材４，７の弾性力により揺れが緩和されるから、いずれの石も破損することがなく、割れや欠けのない美しい外観を長年保持することができる。
【００２０】
そして、地面ＧＬからの水分は下台石５に浸透してくるが、水密性の弾性シート材７および空間部２４の存在により下台石５から上台石６へ上がってくることはない。また、墓参時に上台石６に水が掛けられても、水密性の弾性シート材４および空間部１６の存在により、水が上台石６から塔石３へ上がってくることはない。一方、墓石１の外面に降りかかった水や雨水は、水密性の弾性シート材４，７の存在により、塔石３と上台石６の隙間および上台石６と下台石５の隙間から下向き凹部９，１８内に入り込まない。従って、雨天時や水掛け時以外、塔石３および上台石６は常に乾燥した状態になるから、塔石３および上台石６の表面や積み重ね部分にカビやコケが発生しにくく、墓石特有の鏡面光沢も長年にわたり失われない。
他方で、空間部１６，２４が設けられることにより、下向き凸部８、下向き凹部９、下向き凸部１７、または下向き凹部１８のそれぞれの縦寸法に関して、多少の寸法誤差が許容されるから高い寸法精度が要求されない。従って、下向き凸部８、下向き凹部９、下向き凸部１７、または下向き凹部１８を容易に製作することができる。
【００２１】
ところで、塔石３の下向き凸部８を、塔石３の外側面３Ａから下向き凸部８までの下面寸法Ｄが１０ｍｍ以上２０ｍｍ以下で、且つ、塔石３の下面１０から下向き凸部８の下面１０までの縦寸法Ｌが１００ｍｍ以上２００ｍｍ以下となるように形成すると、耐震性が向上する。この場合、塔石３の横幅に応じて下面寸法Ｄが設定されるが、塔石３の横幅が大きくなるにつれて下向き凸部８の横幅も大きくなる。一方で、縦寸法Ｌは塔石３の大きさによることなく、１００ｍｍ以上２００ｍｍの範囲内で適宜に選定される。因みに、この実施形態において、例えば、塔石３の高さは６２０ｍｍ、横幅は２４０ｍｍ、下面寸法Ｄは１５ｍｍ、下向き凸部８の縦寸法Ｌは１５０ｍｍ、下向き凹部９の上面１１からの深さは１８０ｍｍ弱、空間部１６の高さは３０ｍｍである。
【００２２】
尚、前記の下面寸法Ｄが１０ｍｍを下回ると、上台石６の上面１１に支持される受面が狭くなりすぎて、上台石６の下向き凹部９の縁部が欠けやすくなる。前記の下面寸法Ｄが２０ｍｍを上回ると、下向き凸部８が細くなり過ぎて地震時などの揺れで折損するおそれが高くなる。また、前記の縦寸法Ｌが１００ｍｍを下回ると、地震時などの揺れで下向き凸部８が下向き凹部９から抜けやすくなる。前記の縦寸法Ｌが２００ｍｍを上回ると、上台石６の高さを大きくせざるを得ず下向き凹部９を深く製作する必要が生じて手間とコストがかかる。
前記のように塔石３および下向き凸部８の所定寸法を設定しておくと、塔石３の横幅に対して下向き凸部８の横幅が比較的太くなるために、墓石１が地震の発生や近くの振動工事などにより強く揺さぶられても折損しない。また、下向き凸部８の縦寸法Ｌは比較的長いために、強く揺さぶられても下向き凸部８が下向き凹部９から抜けにくい。
【００２３】
一方、図３に示した墓石１ａは、下台石５ａ上台石６ａとから成る台石２ａと、台石２ａ上に積み上げられる塔石３ａとを備えている。塔石３ａの下面１０には上向き凹部２５が設けられ、上台石６ａの上面１１に、塔石３ａの上向き凹部２５と嵌合する上向き凸部２６が設けられている。塔石３ａの下面１０と上台石６ａの上面１１との間、および、上向き凸部２６の外周面２７と上向き凹部２５の内周面２８との間にそれぞれ介在するように、水分を通さない弾性シート材４ａを配設されている。
【００２４】
また、上台石６ａの下面１９に上向き凹部３２が設けられ、下台石５ａの上面２０に上台石６ａの上向き凹部３２と嵌合する上向き凸部３３が設けられている。上台石６ａの下面１９と下台石５ａの上面２０との間、および、下石台５ａの上向き凸部３３の外周面３４と上台石６ａの上向き凹部３２の内周面３５との間にそれぞれ介在するように、水分を通さない弾性シート材７ａが配設されている。そして、上台石６ａの上向き凸部２６の上面２９と塔石３ａの上向き凹部２５の上底面３０との間に、空間部３１が設けられている。この空間部３１と弾性シート材４ａにより、上向き凸部２６と上向き凹部２５とが非接触となる。下台石５ａの上向き凸部３３の上面３６と上台石６ａの上向き凹部３２の上底面３７との間にも、空間部３８が設けられている。この空間部３８と弾性シート材７ａにより、上向き凸部３３と上向き凹部３２とが非接触となる。
【００２５】
かかる構成の墓石１ａも、先述した墓石１と同様の作用、効果を奏する。すなわち、地震などによる倒壊や位置ズレがなく、弾性シート材４ａ，７ａの弾性支持により石の割れや欠けが防止される。また、水密性の弾性シート材４ａおよび空間部３１の存在と、水密性の弾性シート材７ａおよび空間部３８の存在によって、各石間の水分移動が阻止されて各石が乾燥しやすくなり、カビやコケの発生を防止できる。また、空間部３１と空間部３８を設けたことにより、上向き凸部２６、上向き凹部２５、上向き凸部３３、または上向き凹部３２の製作が容易になる。
【００２６】
次に、図４に示した墓石１ｂは、下台石５ｂと上台石６ｂとから成る台石２ｂと、台石２ｂ上に積み上げられる塔石３とを備えている。塔石３の下面には下向き凸部８が設けられ、上台石６ｂの上面に、塔石３の下向き凸部８と嵌合する下向き凹部９ａが設けられている。塔石３の下面と上台石６ｂの上面との間、および、下向き凸部８の外周面と下向き凹部９ａの内周面との間にそれぞれ介在するように、弾性シート材４ｂが設けられている。また、上台石６ｂの下面には下向き凸部１７が設けられ、下台石５ｂの上面に、上台石６ｂの下向き凸部１７と嵌合する下向き凹部１８ａが設けられている。そして、上台石６ｂの下面と下台石５ｂの上面との間、および、下向き凸部１７の外周面と下向き凹部１８ａの内周面との間にそれぞれ介在するように、弾性シート材７ｂが設けられている。この実施形態では、下向き凹部９ａの底面１５ａと下向き凸部８の下面１４が密着し、下向き凹部１８ａの底面２３ａと下向き凸部１７の下面２２が密着している。また、弾性シート材４ｂ，７ｂは弾性メッシュシートなどのように水分を通す材質で構成してある。
【００２７】
かかる墓石１ｂは、墓石１，１ａのような水分上昇阻止機能を有しないが、塔石３と上台石６の上下面および内外周面の間、および上台石６と下台石５の上下面および内外周面の間にそれぞれ弾性シート材４，７が介在しているので、各石の下端部や縁端部が直に接することがない。そして、塔石３や上台石６が揺れた場合は弾性シート材４，７の弾性力により揺れが緩和されるから、各石の下端部や縁端部の破損を防止することができる。尚、墓石１ｂにおいて、弾性シート材４ｂ，７ｂを水分を通さない材質で構成しても構わない。
【００２８】
他方、図３のような上向き凸部２６，３３を有する墓石１ａについて、空間部３１，３８をなくして、上向き凹部２５の上底面３０と上向き凸部２６の上面２９、および、上向き凹部３２の上底面３７と上向き凸部３３の上面３６をそれぞれ密着させたものも本発明に含まれる。その場合は、弾性シート材４ａ，７ａとして弾性メッシュシートなどのように水分を通す材質で構成してある。但し、弾性シート材４ａ，７ａを水分を通さない材質で構成してもよい。
このような構成の墓石であっても、塔石３ａと上台石６ａの上下面および内外周面の間、および上台石６ａと下台石５ａの上下面および内外周面の間にそれぞれ弾性シート材４ａ，７ａが介在しているので、各石の下端部や縁端部が直に接することがない。そして、塔石３ａや上台石６ａが揺れた場合は弾性シート材４ａ，７ａの弾性力により揺れが緩和されるから、各石の下端部や縁端部の破損を防止することができる。
【００２９】
尚、上記の実施形態では凸部や凹部の平面形状を四角形にしたものを例示したが、本発明では四角形に限らず任意であり、凸部や凹部の平面形状が例えば四角形以外の多角形状、円形、長円形、楕円形などであってもよい。
また、弾性シート材として上記では鍔付き筒状に形成したものを使用したが、本発明はそのような態様に限らず、平たいシート状の弾性シート材を用いることも可能である。すなわち、凸部の外周面にシート状の弾性シート材を巻き付けたのち、これらを一体にして凹部に差し込むと、塔石の下面と台石の上面との間、および、塔石の下向き凸部または上向き凹部と台石の下向き凹部または上向き凸部との間に、弾性シート材を介在させた構成が実現する。
【００３０】
また、墓石１ｂでは下向き凸部８の下面１４と下向き凸部９ａの底面、および、下向き凸部１７の下面２２と下向き凸部１８ａの底面を密着させたが、それらの間に平らな弾性シート材を介在させて非接触にしたものも本発明に含まれる。
そして、水分を通す弾性シート材を塔石と上台石の間に介在させ、水分を通さない弾性シート材を上台石と下台石の間に介在させたものも本発明に含まれる。
また、上台石の上面に上向き凸部を設け上台石の下面に下向き凸部を設けて成る墓石や、上台石の上面に下向き凹部を設け上台石の下面に上向き凹部を設けて成る墓石であってもよい。
【図面の簡単な説明】
【００３１】
【図１】本発明の一実施形態に係る墓石の分解斜視図である。
【図２】前記墓石の正断面図である。
【図３】本発明の別の実施形態に係る墓石の正断面図である。
【図４】本発明の他の実施形態に係る墓石の正断面図である。
【図５】従来の墓石の正断面図である。
【符号の説明】
【００３２】
１，１ａ，１ｂ  墓石
２，２ａ，２ｂ  台石
３，３ａ  塔石
３Ａ  外側面
４，４ａ，４ｂ，７，７ａ，７ｂ  弾性シート材
５，５ａ，５ｂ  下台石
６，６ａ，６ｂ  上台石
８，１７  下向き凸部
９，９ａ，１８，１８ａ  下向き凹部
１０，１９  下面
１１，２０  上面
１４，２２  下面
１５，１５ａ，２３，２３ａ  底面
１６，２４，３１，３８  空間部
２５，３２  上向き凹部
２６，３３  上向き凸部
２９，３６  上面
３０，３７  上底面
Ｌ    縦寸法
Ｄ    下面寸法
【図１】
2006070575.tif 000003
【図２】
2006070575.tif 000004
【図３】
2006070575.tif 000005
【図４】
2006070575.tif 000006
【図５】
2006070575.tif 000007